(57)【特許請求の範囲】
【請求項１】
胴張りされた扁平状の衛生用紙包装用紙箱を搬送しつつその搬送方向と直交する長手方向両端部に開口を有する角筒状に立体化する工程において、前記紙箱の立体化の補助用として、前記紙箱の搬送路の両側から前記紙箱の長手方向端部に向けて送出されるエアに、臭気処理薬剤を混入する衛生用紙包装用紙箱の臭気処理方法。
【請求項２】
前記臭気処理薬剤が消臭剤である請求項１に記載の衛生用紙包装用紙箱の臭気処理方法。
【請求項３】
前記臭気処理薬剤が香料である請求項１に記載の衛生用紙包装用紙箱の臭気処理方法。
【発明の詳細な説明】
【技術分野】
【０００１】
本発明は、衛生用紙包装用紙箱の臭気処理方法に関し、より詳しくは、衛生用紙包装用紙箱を消臭・香付け処理する方法に関する。
【背景技術】
【０００２】
ティシュペーパー等の衛生用紙に香料等の薬液を付与して、使用時に衛生用紙が芳香を発するようにすれば、趣向性の高いものとなり、付加価値が高まる。そこで、衛生用紙が使用時に芳香を発するように、衛生用紙の製造・包装過程で衛生用紙または衛生用紙包装用紙箱に香料等の薬液を付与する方法が提案されている（特許文献１、特許文献２）。
【０００３】
また、ティシュペーパー等の衛生用紙には香料を付与しない一方、衛生用紙を包装している包装用紙箱に香料を付与して、室内または車内空間のエアに香気の付与を図る提案がなされている（特許文献３）。
【０００４】
さらに、ティシュペーパー等の衛生用紙に悪臭物質を分解ないし吸着する金属錯体を分散、保持させ、ティシュペーパー等の衛生用紙が使用される室内等の悪臭を除去する提案がなされている（特許文献４）。
【特許文献１】特開２００７−６１１４３号公報
【特許文献２】実開平７−２１５８４号公報
【特許文献３】実開昭６３−１０５６８５号公報
【特許文献４】特開平５−２６９３２８号公報
【発明の開示】
【発明が解決しようとする課題】
【０００５】
特許文献１〜４に開示された技術は、いずれも衛生用紙および／または衛生用紙包装用紙箱に香料・消臭薬剤を付与するために、特別の装置・工程を必要とするものである。特許文献１に開示の技術では、衛生用紙の折り畳みおよび積み重ね工程を行う装置全体を封止する必要がある。また、特許文献２および３に開示された技術においては、ティシュペーパーの包装用紙箱に芳香剤を塗布する手段・工程が必要である。また、特許文献４に開示された技術においては、衛生用紙に直接金属錯体を浸漬・吹き付けする手段・工程が必要である。
【０００６】
以上のように、特許文献１〜４に開示の技術では、いずれも、衛生用紙および／または衛生用紙包装用紙箱に香料・消臭薬剤を付与するために、特別の装置・工程が必要であるので、衛生用紙の製造時間の長期化および／または衛生用紙の製造コストの増大を招く。
【０００７】
また、敏感な消費者の中には、従来技術に係るティシュペーパー等の衛生用紙の使用時に、異臭を感じる者もいる。本発明者は、これらの消費者が感じる異臭は、ティシュペーパー等の衛生用紙自体に起因するものではなく、ティシュペーパー等の衛生用紙を包装する包装用紙箱の臭気であったり、あるいはティシュペーパー等の衛生用紙が包装用紙箱中に収納されている間に包装用紙箱の臭いが包装用紙箱内のティシュペーパー等の衛生用紙に移ったものであることを見出した。
【０００８】
そこで、本発明者は、衛生用紙包装用紙箱の臭気を除去すれば、敏感な消費者が感じる異臭を除去し得ることを見出した。この際、衛生用紙包装用紙箱の臭気は、紙箱の原料の臭気や紙箱表面の印刷インクの臭気に起因して発せられる。
【０００９】
本発明は、このような従来技術の有する問題点に鑑みてなされたものであり、その課題とするところは、既存の設備を利用して、簡単かつ効果的に、衛生用紙包装用紙箱を消臭、香りづけできる方法を提供することにある。
【課題を解決するための手段】
【００１０】
本発明者は、上記課題を達成すべく鋭意検討した結果、以下に示す方法によって、上記課題を達成することが可能であることを見出し、本発明を完成するに至った。即ち、本発明によれば、以下に示す衛生用紙包装用紙箱の臭気処理方法が提供される。
【００１１】
［１］  胴張りされた扁平状の衛生用紙包装用紙箱を搬送しつつその搬送方向と直交する長手方向両端部に開口を有する角筒状に立体化する工程において、前記紙箱の立体化の補助用として、前記紙箱の搬送路の両側から前記紙箱の長手方向端部に向けて送出されるエアに、臭気処理薬剤を混入する衛生用紙包装用紙箱の臭気処理方法。
【００１２】
この方法によれば、既存の設備を利用し、特別な設備が不要である。そして、紙箱の搬送路の両側から紙箱の長手方向端部に向けて送出されるエアは、角筒状の紙箱内側にその長手方向両端部の開口を通して送出されるので、このエアに混入された臭気処理薬剤により、紙箱の内面及びその内側の衛生用紙の収納空間を消臭、香りづけでき、紙箱の原料に起因する紙箱の内側あるいは衛生用紙の異臭を防止できる。また、紙箱の搬送路の両側から紙箱の長手方向端部に向けて送出されるエアは、紙箱の内側に送出されるだけでなく、紙箱の表面にも送出されるので、このエアに混入された臭気処理薬剤により、紙箱の表面をも消臭、香りづけでき、紙箱の原料やその表面の印刷インクに起因する異臭を防止できる。これにより、既存の設備を利用して、簡単かつ効果的に、衛生用紙の衛生用紙包装用紙箱を消臭、香りづけできる。
【００１３】
[２]  前記臭気処理薬剤が消臭剤である上記[１]に記載の衛生用紙包装用紙箱の臭気処理方法。
【００１４】
[３]  前記臭気処理薬剤が香料である上記[１]に記載の衛生用紙包装用紙箱の臭気処理方法。
【発明の効果】
【００１５】
本発明によれば、既存の設備を利用して、簡単かつ効果的に、衛生用紙包装用紙箱を消臭、香りづけできる方法が提供される。
【発明を実施するための最良の形態】
【００１６】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１７】
図１乃至図３を参照しつつ、本発明を詳説する。図１は、本発明の一実施形態に係る衛生用紙としてのティシュペーパーを包装する紙箱の臭気処理方法を採用したティシュペーパーの製造工程を示す概略斜視図である。図１に示すとおり、一般的にティシュペーパーは（Ａ）〜（Ｆ）工程を経て製造・包装される。
【００１８】
（Ａ）折り畳み・積層工程
インターホルダーにより２プライのティシュペーパー原紙をポップアップ方式に折り畳み、指定枚数を積層し、長尺の積層体にする工程である。
【００１９】
（Ｂ）断裁工程
カッターにより長尺の積層体を指定寸法に断裁する工程である。
【００２０】
（Ｃ）箱立て工程
胴張りされた扁平状の紙箱（以下、「カートン」という。）を一枚づつ取り出して搬送しつつその搬送方向（矢印Ｗ方向）と直交する長手方向両端部に開口を有する角筒状に立体化する工程である。この工程においては、扁平状のカートンを搬送しつつ機械的に角筒状にするが、補助的にエアを使用する。本発明の方法はこの工程において適用される。
【００２１】
（Ｄ）箱詰め工程
カートナーにより、角筒状になったカートンに、指定寸法に断裁された積層体をカートンに詰める工程である。
【００２２】
（Ｅ）包装工程
積層体を詰められたティシュカートンを指定数量づつ包装する工程である。
【００２３】
（Ｆ）製品包装工程
指定数量づつ包装されたティシュカートンを段ボールケースに詰める工程である。
【００２４】
一般に、ティシュペーパーは上記（Ａ）〜（Ｆ）工程を経て製造・包装されるが、本発明の方法は、上記のとおり、（Ｃ）箱立て工程において適用されるものである。図２は、本発明の方法を示す模式的斜視図であり、図３は本発明の方法を示す模式的平面図であり、いずれも図１の（Ｃ）工程をより詳細に示した図である。
【００２５】
図２において、胴張りされた扁平状のカートン１は、図中、右下から左上方向へ向けて矢印Ｗ方向に搬送される。この搬送中にカートン１は図示しない機械的手段によりその搬送方向（矢印Ｗ方向）と直交する長手方向両端部に開口を有する角筒状に立体化（箱立て）される。この際、カートン１の立体化の補助用として、エアーナイフ３（図３参照）によりカートン１の内側にエアが送出される。このエアと機械的手段とが協働してカートン１が角筒状に立体化される。
【００２６】
図３に示すとおり、エアーナイフ３の本体は、カートン１の搬送路両側にカートン１の長手方向端部と対向するようにカートン１の搬送方向に沿って配設されている。エアーナイフ３には、カートン１の搬送路に沿って複数のエア吹き出し口９が設けられ、各エア吹き出し口９を通してエアがカートン１の搬送路両側からカートン1の長手方向端部に向けて送出されるようになっている。
【００２７】
胴張りされた扁平状のカートン１は、搬送中、図示しない機械的手段により角筒状に立体化される。この際、上述のとおり、エアーナイフ３のエア吹き出し口９からエアがカートン１の長手方向端部に向けて送出されてカートン１の立体化の補助として機能する。
【００２８】
図３に示すとおり、エアーナイフ３には、エア供給管５と臭気処理薬剤供給管７とが接続されており、エア供給管５からエアが供給されるが、これに加え、臭気処理薬剤供給管７から香料や消臭剤等の臭気処理薬剤も供給される。臭気処理薬剤供給管７から供給された臭気処理薬剤は、エア供給管５から供給されたエアと混合されて、エアーナイフ３のエア吹き出し口９からカートン１の長手方向端部に向けて送出される。エアーナイフ３のエア吹き出し口９からカートン１の長手方向端部に向けて送出された臭気処理薬剤が混合されたエアにより、カートン１を簡単かつ効果的に香り付け・消臭できる。すなわち、既存の設備を利用し、特別な設備が不要である。そして、エアーナイフ３のエア吹き出し口９からカートン１の長手方向端部に向けて送出されるエアは、角筒状のカートン１の内側にその長手方向両端部の開口を通して送出されるので、このエアに混入された臭気処理薬剤により、カートン１の内面及びその内側の積層体の収納空間を消臭、香りづけでき、カートン１の原料に起因するカートン１の内側あるいはティシュペーパーの異臭を防止できる。また、エアーナイフ３のエア吹き出し口９からカートン１の長手方向端部に向けて送出されるエアは、カートン１の内側に送出されるだけでなく、カートン１の表面にも送出されるので、このエアに混入された臭気処理薬剤により、カートン１の表面をも消臭、香りづけでき、カートン１の原料やその表面の印刷インクに起因する異臭を防止できる。
【００２９】
エア供給管５を介してエアーナイフ３に供給されるエアは図示しないエアボンベ又は送風機により供給することができる。この際のエアの供給量は１５〜２５ｌ／ｓｅｃが好ましい。２５ｌ／ｓｅｃを超えると臭気処理薬剤の塗布量が不均一になる傾向がある。一方、１５ｌ／ｓｅｃ未満の場合には、エアの吹き出し圧力が低下しカートン１の箱立て（立体化）不良をおこす可能性がある。
【００３０】
臭気処理薬剤供給管７から供給する香料・消臭剤は気体でも液体でも良い。液体の場合には、粒径４０〜１００μｍの霧状にして供給するのが好ましい。この際、１００μｍを超えると、臭気処理薬剤の量が不均一になる傾向がある。一方、４０μｍ未満の場合には、臭気処理薬剤がカートンに定着しない可能性がある。
【００３１】
臭気処理薬剤供給管７から供給する香料は種々の公知の香料から適宜選択することができる。例えば、メントール、ミント、ラベンダー、ローズマリーなどのハーブ系の香り成分、バラの香り成分、柑橘系の香り成分、ヒノキの香り成分など天然系の香料、あるいは合成系の香料などから、一種又は数種を適宜選択して使用することができる。ただし、薬液が香料等の揮発性の高いものが好ましい。
【００３２】
臭気処理薬剤供給管７から供給する消臭剤としては、無機系あるいは有機系を問わず使用可能であるが、主に用いられるものとしては、各種精油類（ヒノキ、ヒバ、杉等の「フィトンチッド」と呼ばれる木材抽出物）や植物抽出物（カミツレ、クキタンポポ、ササ、ヨモギ、シソ、茶等の植物抽出物）等が挙げられる。
【００３３】
また、無機系のものとして、広く用いられている安定化二酸化塩素や、特開２００６−２０４４４５号公報に記載のシクロデキストリンを含む安定化二酸化塩素等を使用しても良い。
【００３４】
本発明が適用されるカートンは、厚紙等の紙材料を構成材料として形成することができる。これらの紙材料としては、例えば、木材パルプ、古紙等を原料として製造されたものを用いることができる。
【００３５】
本発明が適用されるカートンに包装される衛生用紙の種類について特に制限はなく従来公知の衛生用紙を用いることができる。例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００３６】
これらの衛生用紙としては、具体的には、ティシュペーパーを例とした場合、坪量が１１〜１７ｇ／ｍ２のティシュペーパー（原紙を二枚重ねしたもの）を用いることが好ましい。また、ペーパータオルを例とした場合、坪量が２２〜３４ｇ／ｍ２のペーパータオルを用いることが好ましい。
【００３７】
以上のように、本発明は、エア供給管５の途中に臭気処理薬剤を供給する臭気処理薬剤供給管７および図示しない臭気処理薬剤供給源を追加するだけで実施できるので、従来施設を利用して、低コストで簡単に実施することができる。また、必要に応じて、エア供給管５から供給されるエアに適宜臭気処理薬剤７を混合すれば良いので、適宜実施できる。
【００３８】
以上、本発明の実施の形態について、図１乃至図３を用いて具体的に説明したが、本発明はこれらの特定の実施の形態に限定されない。各種の変形・変更が可能である。
【産業上の利用可能性】
【００３９】
本発明は、ティシュペーパー等の衛生用紙の製造過程において使用することができる。
【図面の簡単な説明】
【００４０】
【図１】本発明の一実施形態に係る衛生用紙用紙箱の臭気処理方法を示す模式的斜視図である。
【図２】本発明の一実施形態を示す模式的斜視図である。
【図３】本発明の一実施形態を示す模式的平面図である。
【符号の説明】
【００４１】
１：カートン（紙箱）、３：エアーナイフ、５：エア供給管、７：臭気処理薬剤供給管、９：エア吹き出し口。
【図１】
0005006842.tif 000002
【図２】
0005006842.tif 000003
【図３】
0005006842.tif 000004